(57)【要約】  本発明は、リモコン制御システムに関するもので、操作性の向上を図ることを目的とするものである。表示装置７の本体通信制御部１３は、リモコン装置８からの接続要求があった場合で、リモコン装置９との接続状態に無い時には、このリモコン装置８との接続許可を実行する。一方、リモコン装置８からの接続要求があった場合で、リモコン装置９との接続状態に有る時には、このリモコン装置８との接続不許可を実行するとともに、このリモコン装置８に対して、リモコン装置９との接続を促す構成とした。
2013145655.tif 000002
【特許請求の範囲】
【請求項１】
表示装置と、この表示装置をリモコン操作する第１、第２のリモコン装置とを備え、
前記表示装置は、表示制御部と、この表示制御部に接続された複数の表示部と、前記表示制御部に接続された本体通信制御部と、この本体通信制御部に接続された本体コマンド受信部、および本体コマンド発信部とを有し、
前記第１のリモコン装置は、前記表示装置の本体コマンド受信部、および本体コマンド発信部間で送受信を行う第１のコマンド受信部、および第１のコマンド発信部と、これらの第１のコマンド受信部、および第１のコマンド発信部に接続された第１の通信制御部と、この第１の通信制御部に接続された第１の操作部とを有し、
前記第２のリモコン装置は、前記表示装置の本体コマンド受信部、および本体コマンド発信部間で送受信を行う第２のコマンド受信部、および第２のコマンド発信部と、これらの第２のコマンド受信部、および第２のコマンド発信部に接続された第２の通信制御部と、この第２の通信制御部に接続された第２の操作部とを有し、
前記表示装置の本体通信制御部は、前記第１のリモコン装置からの接続要求があった場合で、前記第２のリモコン装置との接続状態に無い時には、前記第１のリモコン装置との接続許可を実行し、前記第１のリモコン装置からの接続要求があった場合で、前記第２のリモコン装置との接続状態に有る時には、前記第１のリモコン装置との接続不許可を実行するとともに、前記第１のリモコン装置に対して、前記第２のリモコン装置との接続を促す構成としたリモコン制御システム。
【請求項２】
前記表示装置をリモコン操作する第１、第２、第３のリモコン装置を備え、前記第３のリモコン装置は、前記表示装置の本体コマンド受信部、および本体コマンド発信部間で送受信を行う第３のコマンド受信部、および第３のコマンド発信部と、これらの第３のコマンド受信部、および第３のコマンド発信部に接続された第３の通信制御部と、この第３の通信制御部に接続された第３の操作部とを有する請求項１に記載のリモコン制御システム。
【発明の詳細な説明】
【技術分野】
【０００１】
本発明は、例えば、表示部の表示内容をリモコン操作するリモコン制御システムに関するものである。
【背景技術】
【０００２】
従来のこの種のリモコン制御システムとしては、表示装置の表示部を、複数のリモコン装置で、リモコン操作するものが提案されている。すなわち、一つの表示部の表示内容を複数人で同時に操作することができるので、例えばゲームを複数人で楽しむことができる（例えば下記特許文献１）。
【先行技術文献】
【特許文献】
【０００３】
【特許文献１】特開２０１１−１０２２２号公報
【発明の概要】
【発明が解決しようとする課題】
【０００４】
上記従来例においては、一つの表示部の表示内容を、複数のリモコン装置でリモコン操作するようになっているので、例えばゲームを複数人で楽しむ場合などには有効なものではある。【０００５】
しかしながら、複数の表示部が設けられたものでは、個人ごとに視聴している表示部が設定されているので、それを隣の人が操作すると、不愉快な状況が発生することもある。そこで、このように表示部が複数設けられたものでは、例えば、右用、左用と専用のリモコン装置を設けたり、専用の一つのリモコン装置を右用、または左用として切り替えるようにしている。【０００６】
つまり、従来例では、複数の表示部のそれぞれを専用のリモコン装置で操作する必要があり、操作性の悪い状況であった。【０００７】
そこで、本発明は、システムの操作性を向上することを目的とするものである。
【課題を解決するための手段】
【０００８】
そしてこの目的を達成するために本発明は、表示装置と、この表示装置をリモコン操作する第１、第２のリモコン装置とを備え、前記表示装置は、表示制御部と、この表示制御部に接続された複数の表示部と、前記表示制御部に接続された本体通信制御部と、この本体通信制御部に接続された本体コマンド受信部、および本体コマンド発信部とを有し、前記第１のリモコン装置は、前記表示装置の本体コマンド受信部、および本体コマンド発信部間で送受信を行う第１のコマンド受信部、および第１のコマンド発信部と、これらの第１のコマンド受信部、および第１のコマンド発信部に接続された第１の通信制御部と、この第１の通信制御部に接続された第１の操作部とを有し、前記第２のリモコン装置は、前記表示装置の本体コマンド受信部、および本体コマンド発信部間で送受信を行う第２のコマンド受信部、および第２のコマンド発信部と、これらの第２のコマンド受信部、および第２のコマンド発信部に接続された第２の通信制御部と、この第２の通信制御部に接続された第２の操作部とを有し、前記表示装置の本体通信制御部は、前記第１のリモコン装置からの接続要求があった場合で、第２のリモコン装置との接続状態に無い時には、この第１のリモコン装置との接続許可を実行し、前記第１のリモコン装置からの接続要求があった場合で、第２のリモコン装置との接続状態に有る時には、この第１のリモコン装置との接続不許可を実行するとともに、この第１のリモコン装置に対して、前記第２のリモコン装置との接続を促す構成とし、これにより所期の目的を達成するものである。
【発明の効果】
【０００９】
以上のように本発明は、表示装置と、この表示装置をリモコン操作する第１、第２のリモコン装置とを備え、前記表示装置は、表示制御部と、この表示制御部に接続された複数の表示部と、前記表示制御部に接続された本体通信制御部と、この本体通信制御部に接続された本体コマンド受信部、および本体コマンド発信部とを有し、前記第１のリモコン装置は、前記表示装置の本体コマンド受信部、および本体コマンド発信部間で送受信を行う第１のコマンド受信部、および第１のコマンド発信部と、これらの第１のコマンド受信部、および第１のコマンド発信部に接続された第１の通信制御部と、この第１の通信制御部に接続された第１の操作部とを有し、前記第２のリモコン装置は、前記表示装置の本体コマンド受信部、および本体コマンド発信部間で送受信を行う第２のコマンド受信部、および第２のコマンド発信部と、これらの第２のコマンド受信部、および第２のコマンド発信部に接続された第２の通信制御部と、この第２の通信制御部に接続された第２の操作部とを有し、前記表示装置の本体通信制御部は、前記第１のリモコン装置からの接続要求があった場合で、第２のリモコン装置との接続状態に無い時には、この第１のリモコン装置との接続許可を実行し、前記第１のリモコン装置からの接続要求があった場合で、第２のリモコン装置との接続状態に有る時には、この第１のリモコン装置との接続不許可を実行するとともに、この第１のリモコン装置に対して、前記第２のリモコン装置との接続を促す構成としたものであるので、操作性が向上する。【００１０】
すなわち、本発明における表示装置の本体通信制御部は、前記第１のリモコン装置からの接続要求があった場合で、第２のリモコン装置との接続状態に無い時には、この第１のリモコン装置との接続許可を実行し、前記第１のリモコン装置からの接続要求があった場合で、第２のリモコン装置との接続状態に有る時には、この第１のリモコン装置との接続不許可を実行するとともに、この第１のリモコン装置に対して、前記第２のリモコン装置との接続を促す構成としたものであるので、表示装置をリモコン操作する第１、第２のリモコン装置は、例えば個人所有の携帯電話を使用することが出来、わざわざ専用のリモコン装置を用意しなくても良い分、操作性の良いものとなるのである。
【図面の簡単な説明】
【００１１】
【図１】本発明の一実施形態にかかるリモコン制御システムを搭載した自動車を示す図
【図２】同制御ブロック図
【図３】リモコン装置側の動作フローチャート
【図４】表示装置側の動作フローチャート
【発明を実施するための形態】
【００１２】
以下、本発明の一実施形態を、添付図面を用いて説明する。
【００１３】
図１において、１は自動車で、車内２の前方には、運転席３と助手席４が配置され、運転席３の前方にはハンドル５が配置されている。また、車内２の後方には、後席６が配置されている。
【００１４】
さらに、運転席３と助手席４の間には、表示装置７が配置され、この表示装置７をリモコン操作するリモコン装置８、９は後席６の左右に配置されている。
【００１５】
ここで、リモコン装置８、９は、例えば後席６の左右に座る同乗者が、携帯電話として個人所有するもので、リモコン機能も有するものである。
【００１６】
図２は、上述のリモコン制御システムの制御ブロック図である。
【００１７】
表示装置７は、図２に示すごとく、表示制御部１０と、この表示制御部１０に接続された複数の表示部１１、１２と、表示制御部１０に接続された本体通信制御部１３と、この本体通信制御部１３に接続された本体コマンド受信部１４、および本体コマンド発信部１５、送信順記憶部１３ａとを有する。
【００１８】
また、リモコン装置８は、本体コマンド受信部１４、および本体コマンド発信部１５間で送受信を行うコマンド受信部１６、およびコマンド発信部１７と、これらのコマンド受信部１６、およびコマンド発信部１７に接続された通信制御部１８と、この通信制御部１８に接続された操作部１９、および送信順記憶部２０とを有する。
【００１９】
さらに、リモコン装置９は、本体コマンド受信部１４、および本体コマンド発信部１５間で送受信を行うコマンド受信部２１、およびコマンド発信部２２と、これらのコマンド受信部２１、およびコマンド発信部２２に接続された通信制御部２３と、この通信制御部２３に接続された操作部２４、および送信順記憶部２５とを有する。
【００２０】
なお、これらのリモコン装置８、９は、上述のごとく、後席６の左右に座る同乗者が所有する携帯電話であるが、携帯電話機能は周知のものであるので、説明の煩雑化を避けるために、説明を省略する。
【００２１】
以上の構成において、表示部１１は助手席４の背面側に設けられ、表示部１２は運転席３の背面に設けられている。
【００２２】
なお、送信順記憶部１３ａ、２０、２５は、送信順を予め記憶させておくものである。
【００２３】
図３は、上述のリモコン制御システムにおけるリモコン装置側の動作フローチャートである。
【００２４】
なお、以下の動作説明において、現在の状態は、図１において、リモコン装置８が、表示装置７の本体通信制御部１３に、ブルートゥースによって、一対一の状態で接続され、表示部１１を視聴しながらリモコン操作を行っている状況とする。
【００２５】
これに先立ち、先ずは、リモコン装置８と表示装置７の接続が行われる。すなわち、リモコン装置８側においてそのリモコン機能を起動する。
【００２６】
このリモコン機能起動は操作部１９によるリモコン操作ではない。つまり「操作要求」ではないため（Ｓ１：Ｎｏ）、ステップＳ２に移行して表示装置７の本体コマンド発信部１５からの接続要求を受ける（ブルートゥース）ことになる（Ｓ２：Ｙｅｓ）。
【００２７】
この状態は、リモコン装置８にとっては、自身に対する下流側接続機器であるリモコン装置９からの接続要求が無い状態である（Ｓ３：Ｎｏ）。従って、ステップＳ４に移行し、表示装置７のコマンド受信部１６に接続許可を送信（ブルートゥース）し、これにて接続処理が完了する（Ｓ５）。
【００２８】
このようにして、接続処理が完了した状態で、リモコン装置８の操作部１９でリモコン操作を行うと、ステップＳ１にて「操作要求あり」と判断され（Ｓ１：Ｙｅｓ）、ステップＳ６に移行し、既に「接続処理済み」であるため（Ｓ６：Ｙｅｓ）にステップＳ７へと移る。このステップＳ７では、上流側接続機器に操作コマンドを送信する処理が行われる。具体的には、通信制御部１８は送信順記憶部２０に記憶された送信順にしたがって、コマンド発信部１７から、表示装置７の本体コマンド受信部１４に、操作コマンドを送信（ブルートゥース）する。
【００２９】
図４は、上述のリモコン制御システムにおける表示装置側の動作フローチャートである。
【００３０】
表示装置７側においては、本体通信制御部１３は、リモコン装置８からの接続要求があると、それは操作コマンドではないので（Ｓ２１：Ｎｏ）ステップＳ２２に移行して接続要求の受信と判定される（Ｓ２２：Ｙｅｓ）。この状態は、リモコン装置９との接続が無い状態であるので（Ｓ２３：Ｎｏ）、ステップＳ２４に移行してリモコン装置８に対して接続許可を送信（ブルートゥース）し、接続処理を実行する（Ｓ２５）。
【００３１】
この状態において、リモコン装置８によるリモコン操作が行われると、ステップ２１において「操作コマンド受信」が判定され（Ｓ２１：Ｙｅｓ）、ステップ２６に移行する。ステップ２１では、本体通信制御部１３は、操作コマンド処理を行い、表示制御部１０を介して表示部１１の表示内容をリモコン操作する。
【００３２】
そして、このようにリモコン装置８で表示部１１のリモコン操作を行っている状態で、リモコン装置９を所有する他の人物が、自身の前方に存在する表示部１２をリモコン操作しようとすると、表示装置７の本体通信制御部１３は、「操作コマンド受信？」の判断（Ｓ２１）における「Ｎｏ」との判定、さらに、「接続要求あり？」の判断（Ｓ２２）における「Ｙｅｓ」との判定により、ステップＳ２３に移行する。そして、ステップＳ２３で下流側接続機器「あり」と判定されて（Ｓ２３：Ｙｅｓ）、ステップＳ２７へと移行する。
【００３３】
そして、ステップＳ２７において、本体通信制御部１３は、リモコン装置９に対して、接続状態を不許可とし、またリモコン装置９に対して、リモコン装置８が既に接続されていることを返信するのである。
【００３４】
ここで再び図３を参照すると、このような状況においては、リモコン装置９は、ステップＳ６の判断において、未だ接続状態ではないと判定され（Ｓ６：Ｎｏ）、ステップＳ８に移行して、表示装置７の本体通信制御部１３に接続要求を送信（ブルートゥース）する。
【００３５】
ステップＳ８の処理の後はステップＳ９に移行するが、このステップでは、上述のごとく、リモコン装置８が既に接続されているので、接続不許可が受信（ブルートゥース）されることとなる。
【００３６】
すると、このリモコン装置９の通信制御部２３は、送信順記憶部２５に記憶された順番に従って、既に表示装置７の本体通信制御部１３に接続されているリモコン装置８に対して接続要求を実行する（Ｓ１０）。
【００３７】
そして、リモコン装置８からの接続許可が得られると、ステップＳ９を介して、ステップＳ１１により接続処理を実行し、続いて、リモコン装置８に対する操作コマンドを送信（ブルートゥース）する（Ｓ７）。
【００３８】
つまり、表示装置７の本体通信制御部１３をリモコン装置９では直接リモコン操作は出来ないが、リモコン装置８を介して表示装置７の本体通信制御部１３をリモコン操作し、その結果として表示部１２をリモコン操作することが出来るのである。
【００３９】
一方、さらに、他の人物の携帯電話をリモコンとして利用しようとした場合には、リモコン装置８は既にリモコン装置９が接続されているので、ステップＳ３において「Ｙｅｓ」と判定され、ステップＳ１２へと進むことになる。
【００４０】
つまり、このときには、他の人物の携帯電話は、図３に示したフローにおいて、ステップＳ１、Ｓ６、Ｓ８、Ｓ９、Ｓ１１、Ｓ７と進み、リモコン装置９に接続される。そして、このリモコン装置９は、リモコン装置８を介して、表示装置７の本体通信制御部１３をリモコン操作できることとなる。
【００４１】
これまで説明した実施の形態では、リモコン装置が２つの場合について説明したが、本発明はこの態様に限定されるものではない。表示装置をリモコン操作するリモコン装置は３つ以上であってもよい。
【００４２】
例えば、本発明に係るリモコン制御システムを３つのリモコン装置で利用する場合、第３のリモコン装置は、上述した第１および第２のリモコン装置と同様に、上述の表示装置の本体コマンド受信部、および本体コマンド発信部間で送受信を行う第３のコマンド受信部、および第３のコマンド発信部と、これらの第３のコマンド受信部、および第３のコマンド発信部に接続された第３の通信制御部と、この第３の通信制御部に接続された第３の操作部とを有することになる。
【産業上の利用可能性】
【００４３】
以上のように本発明における表示装置の本体通信制御部は、第１のリモコン装置からの接続要求があった場合で、第２のリモコン装置との接続状態に無い時には、この第１のリモコン装置との接続許可を実行し、上記第１のリモコン装置からの接続要求があった場合で、第２のリモコン装置との接続状態に有る時には、この第１のリモコン装置との接続不許可を実行するとともに、この第１のリモコン装置に対して、上記第２のリモコン装置との接続を促す構成としたものである。【００４４】
かかる構成とすることにより、表示装置をリモコン操作する第１、第２のリモコン装置は、例えば個人所有の携帯電話を使用することが出来、わざわざ専用のリモコン装置を用意しなくても良い分、操作性の良いものとなるのである。【００４５】
したがって、各種リモコン制御システムとしての活用が期待されるものとなる。
【符号の説明】
【００４６】
１  自動車
２  車内
３  運転席
４  助手席
５  ハンドル
６  後席
７  表示装置
８  リモコン装置
９  リモコン装置
１０  表示制御部
１１  表示部
１２  表示部
１３  本体通信制御部
１３ａ  送信順記憶部
１４  本体コマンド受信部
１５  本体コマンド発信部
１６  コマンド受信部
１７  コマンド発信部
１８  通信制御部
１９  操作部
２０  送信順記憶部
２１  コマンド受信部
２２  コマンド発信部
２３  通信制御部
２４  操作部
２５  送信順記憶部
【図１】
2013145655.tif 000003
【図２】
2013145655.tif 000004
【図３】
2013145655.tif 000005
【図４】
2013145655.tif 000006
【国際調査報告】
2013145655.tif 000007
2013145655.tif 000008
2013145655.tif 000009
2013145655.tif 000010